(57)【要約】  カメラによって得られる画像が画像認識処理にどの程度適しているかをユーザが事前に把握できるように、ユーザが指定した画像内の位置における監視対象物の見え方を提示することができる見え方提示システムを提供する。表示制御部１０は、位置および姿勢が定められたカメラが所定の監視対象領域を撮影した場合の画像に、監視対象物を表す対象物表示子を重畳した画像を表示装置に表示させる。位置指定受付部４は、その画像内で、対象物表示子の位置の指定を受け付ける。画像生成部３は、その画像内で指定された位置に対応する監視対象領域上の位置に監視対象物を配置した状態をカメラが撮影した場合に得られる画像を生成する。そして、表示制御部１０は、画像生成部３に生成された画像から、監視対象物に該当する部分を抽出して表示装置に表示させる。
2014087622.tif 000002
【特許請求の範囲】
【請求項１】
位置および姿勢が定められたカメラが所定の監視対象領域を撮影した場合の画像に、監視対象物を表す対象物表示子を重畳した画像を表示装置に表示させる表示制御手段と、
前記画像内で、前記対象物表示子の位置の指定を受け付ける位置指定受付手段と、
前記画像内で指定された位置に対応する監視対象領域上の位置に前記監視対象物を配置した状態を前記カメラが撮影した場合に得られる画像を生成する画像生成手段とを備え、
前記表示制御手段は、前記画像生成手段に生成された画像から、前記監視対象物に該当する部分を抽出して表示装置に表示させる
ことを特徴とする見え方提示システム。
【請求項２】
画像内で指定された位置に対応する監視対象領域上の位置に配置された監視対象物内の注視点とカメラの位置とを通過する直線と地面とのなす角度である注視点角度を算出する注視点算出手段を備え、
表示制御手段は、前記注視点角度を表す図を表示装置に表示させる
請求項１に記載の見え方提示システム。
【請求項３】
画像生成手段に生成された画像内で、監視対象物全体に対する、画像内に収まっていてかつ障害物によって隠されていない監視対象物の部分の割合である非隠れ率を算出する非隠れ率算出手段と、
画像内で指定された位置に対応する監視対象領域上の位置に配置された監視対象物内の注視点とカメラの位置とを通過する直線と地面とのなす角度である注視点角度を算出する注視点算出手段と、
前記注視点角度を、注視点角度と画像認識処理の適性を示す注視点角度評価値との関係を定めた注視点角度評価関数で評価することによって、監視対象領域上の監視対象物の配置位置での注視点角度評価値を算出し、当該注視点角度評価値および前記非隠れ率に基づいて、前記配置位置に配置された監視対象物の画像が画像認識処理に適している度合いを示す第１の適合度を算出する第１の適合度算出手段とを備え、
表示制御手段は、前記注視点角度および前記第１の適合度を表示装置に表示させる
請求項１または請求項２に記載の見え方提示システム。
【請求項４】
画像生成手段に生成された画像内で、監視対象物全体に対する、画像内に収まっていてかつ障害物によって隠されていない監視対象物の部分の割合である非隠れ率を算出する非隠れ率算出手段と、
画像生成手段に生成された画像内における監視対象物の解像度を取得する解像度取得手段と、
前記解像度を、解像度と画像認識処理の適性を示す解像度評価値との関係を定めた解像度評価関数で評価することによって、監視対象領域上の監視対象物の配置位置での解像度評価値を算出し、当該解像度評価値および前記非隠れ率に基づいて、前記配置位置に配置された監視対象物の画像が画像認識処理に適している度合いを示す第２の適合度を算出する第２の適合度算出手段とを備え、
表示制御手段は、前記解像度および前記第２の適合度を表示装置に表示させる
請求項１から請求項３のうちのいずれか１項に記載の見え方提示システム。
【請求項５】
表示制御手段は、非隠れ率を表示装置に表示させる請求項３または請求項４に記載の見え方提示システム。
【請求項６】
位置および姿勢が定められたカメラが所定の監視対象領域を撮影した場合の画像に、監視対象物を表す対象物表示子を重畳した画像を表示装置に表示させ、
前記画像内で、前記対象物表示子の位置の指定を受け付け、
前記画像内で指定された位置に対応する監視対象領域上の位置に前記監視対象物を配置した状態を前記カメラが撮影した場合に得られる画像を生成し、
生成した前記画像から、前記監視対象物に該当する部分を抽出して表示装置に表示させる
ことを特徴とする見え方提示方法。
【請求項７】
画像内で指定された位置に対応する監視対象領域上の位置に配置された監視対象物内の注視点とカメラの位置とを通過する直線と地面とのなす角度である注視点角度を算出し、
前記注視点角度を表す図を表示装置に表示させる
請求項６に記載の見え方提示方法。
【請求項８】
コンピュータに、
位置および姿勢が定められたカメラが所定の監視対象領域を撮影した場合の画像に、監視対象物を表す対象物表示子を重畳した画像を表示装置に表示させる表示制御処理、
前記画像内で、前記対象物表示子の位置の指定を受け付ける位置指定受付処理、
前記画像内で指定された位置に対応する監視対象領域上の位置に前記監視対象物を配置した状態を前記カメラが撮影した場合に得られる画像を生成する画像生成処理、および、
前記画像生成処理で生成された画像から、前記監視対象物に該当する部分を抽出して表示装置に表示させるユーザ判断用情報表示処理
を実行させるための見え方提示プログラム。
【請求項９】
コンピュータに、
画像内で指定された位置に対応する監視対象領域上の位置に配置された監視対象物内の注視点とカメラの位置とを通過する直線と地面とのなす角度である注視点角度を算出する注視点算出処理を実行させ、
ユーザ判断用情報表示処理で、前記注視点角度を表す図を表示装置に表示させる
請求項８に記載の見え方提示プログラム。
【発明の詳細な説明】
【技術分野】
【０００１】
本発明は、カメラによって撮影される監視対象物が撮影画像内でどのように見えるかをユーザに提示する見え方提示システム、見え方提示方法および見え方提示プログラムに関する。
【背景技術】
【０００２】
カメラの撮影範囲を表示する技術が特許文献１に記載されている。特許文献１に記載された技術では、表示装置に表示された所定エリアの上面図上で、カメラの位置等を指定すると、カメラの撮影範囲を投影した水平視野をその上面図内に表示するとともに、カメラの光軸を含み水平面に垂直な面内におけるカメラの視野である垂直視野を立面図内に表示する。図１３は、特許文献１に記載の技術によって表示される水平視野および垂直視野を表す模式図である。【０００３】
特許文献１に記載の技術では、例えば、上面図１００においてカメラの位置を指定すると、カメラを表すカメラ表示子１０１が上面図１００上に表示される。また、ユーザは、カメラの高さを、立面図１０７に表示されるカメラ表示子１１１をドラッグすることで調整する。カメラの位置が指定されると、計算された水平視野１０５が上面図１００に表示され、垂直視野１１５が立面図１０７に表示される。垂直視野１１５は、カメラの光軸１１０を含む。また、人物のアイコンを上面図１００上にドラッグアンドドロップすると、その位置に人物表示子１０２が表示され、さらに、立面図１０７内にも人物表示子１１２が表示される。同様に、カメラの障害物となる壁の存在位置を指定することで、壁表示子１０３が上面図に表示される。なお、図１３において、上面図１００内の人物表示子を符号“１０２”で表し、立面図１０７内の人物表示子を符号“１１２”で表す。【０００４】
特許文献１に記載の技術は、上記のような表示を行うことで、カメラの視野と、所定エリア内の壁、人物等との関係を提示して、カメラの配置位置の調整に利用される。
【先行技術文献】
【特許文献】
【０００５】
【特許文献１】特開２００９−２３９８２１号公報
【発明の概要】
【発明が解決しようとする課題】
【０００６】
カメラが監視対象物（例えば、人物）を撮影することによって得られた画像を用いて、画像認識処理を行う場合がある。画像認識処理の例として、画像内から監視対象物を検出する検出処理や、画像内から監視対象物を検出するだけでなく、さらにその監視対象物を識別する識別処理等が挙げられる。ただし、画像認識処理は、これらの例に限定されない。このような画像認識処理を実行する場合、カメラによって撮影される画像がどの程度、画像認識処理に適しているかをユーザが事前に把握できることが好ましい。【０００７】
例えば、画像内に写った監視対象物の解像度が低いと、その画像は画像認識処理に適していると言えない。また、例えば、画像認識処理にとって好ましくない角度で監視対象物を撮影した場合の画像も、画像認識処理に適していると言えない。このようなことを、実際にカメラを配置して運用する前にユーザが把握できることが好ましい。【０００８】
特許文献１に記載された技術では、カメラの水平視野１０５を上面図１００内に表示し、垂直視野１１５を立面図１０７内に表示するとともに、人物表示子１０２，１１２を表示することができる（図１３参照）。【０００９】
しかし、特許文献１に記載した技術では、ユーザが指定した位置に人物表示子を表示するに止まっていて、撮影画像内で人物がどのように見えるか（すなわち、人物がどのように画像に写るか）を確認することができない。そのため、カメラの配置位置や姿勢等を定めた場合にそのカメラによって得られる画像が、画像認識処理にどの程度適しているかをユーザが事前に把握できない。また、配置位置や姿勢等が定められたカメラの撮影画像内で監視対象物が写る位置によっても、画像内における監視対象物の見え方は変化し、そのような変化をユーザが確認できることが好ましい。【００１０】
そこで、本発明は、カメラによって得られる画像が画像認識処理にどの程度適しているかをユーザが事前に把握できるように、ユーザが指定した画像内の位置における監視対象物の見え方（換言すれば、監視対象物が画像内にどのように写るか）を提示することができる見え方提示システム、見え方提示方法および見え方提示プログラムを提供することを目的とする。
【課題を解決するための手段】
【００１１】
本発明による見え方提示システムは、位置および姿勢が定められたカメラが所定の監視対象領域を撮影した場合の画像に、監視対象物を表す対象物表示子を重畳した画像を表示装置に表示させる表示制御手段と、その画像内で、対象物表示子の位置の指定を受け付ける位置指定受付手段と、その画像内で指定された位置に対応する監視対象領域上の位置に監視対象物を配置した状態をカメラが撮影した場合に得られる画像を生成する画像生成手段とを備え、表示制御手段が、画像生成手段に生成された画像から、監視対象物に該当する部分を抽出して表示装置に表示させることを特徴とする。【００１２】
また、本発明による見え方提示方法は、位置および姿勢が定められたカメラが所定の監視対象領域を撮影した場合の画像に、監視対象物を表す対象物表示子を重畳した画像を表示装置に表示させ、その画像内で、対象物表示子の位置の指定を受け付け、その画像内で指定された位置に対応する監視対象領域上の位置に監視対象物を配置した状態をカメラが撮影した場合に得られる画像を生成し、生成した画像から、監視対象物に該当する部分を抽出して表示装置に表示させることを特徴とする。【００１３】
また、本発明による見え方提示プログラムは、コンピュータに、位置および姿勢が定められたカメラが所定の監視対象領域を撮影した場合の画像に、監視対象物を表す対象物表示子を重畳した画像を表示装置に表示させる表示制御処理、その画像内で、対象物表示子の位置の指定を受け付ける位置指定受付処理、その画像内で指定された位置に対応する監視対象領域上の位置に監視対象物を配置した状態をカメラが撮影した場合に得られる画像を生成する画像生成処理、および、画像生成処理で生成された画像から、監視対象物に該当する部分を抽出して表示装置に表示させるユーザ判断用情報表示処理を実行させることを特徴とする。
【発明の効果】
【００１４】
本発明によれば、カメラによって得られる画像が画像認識処理にどの程度適しているかをユーザが事前に把握できるように、ユーザが指定した画像内の位置における監視対象物の見え方を提示することができる。
【図面の簡単な説明】
【００１５】
【図１】本発明の見え方提示システムの構成例を示すブロック図である。
【図２】解像度評価関数の例を示すグラフである。
【図３】監視対象物への注視点角度を示す説明図である。
【図４】注視点角度評価関数の例を示すグラフである。
【図５】ユーザ操作用画像の例を示す説明図である。
【図６】評価用画像の例を示す説明図である。
【図７】本発明の処理経過の例を示すフローチャートである。
【図８】ステップＳ８で表示されるユーザ判断用情報の表示例を示す説明図である。
【図９】ステップＳ８で表示されるユーザ判断用情報の表示例を示す説明図である。
【図１０】ステップＳ８で表示されるユーザ判断用情報の表示例を示す説明図である。
【図１１】ステップＳ８で表示されるユーザ判断用情報の表示例を示す説明図である。
【図１２】本発明の主要部の例を示すブロック図である。
【図１３】特許文献１に記載の技術によって表示される水平視野および垂直視野を表す模式図である。
【発明を実施するための形態】
【００１６】
以下、本発明の実施形態を図面を参照して説明する。
【００１７】
図１は、本発明の見え方提示システムの構成例を示すブロック図である。本実施形態の見え方提示システム１は、情報記憶部２と、画像生成部３と、位置指定受付部４と、非隠れ率算出部５と、注視点角度算出部６と、第１の適合度算出部７と、解像度取得部８と、第２の適合度算出部９と、表示制御部１０と、表示部１１とを備える。また、図示を省略しているが、見え方提示システム１は、マウス等のポインティングデバイスも備える。
【００１８】
表示部１１は、画像を表示する表示装置である。
【００１９】
情報記憶部２は、カメラパラメータおよびカメラの画面サイズと、監視対象領域を示す情報と、カメラによって撮影される監視対象物に関する情報と、監視対象領域に配置される障害物に関する情報と、解像度評価関数と、注視点角度評価関数とを記憶する記憶装置である。
【００２０】
カメラパラメータは、撮影画像内の監視対象物の見え方の確認対象となるカメラのパラメータである。カメラパラメータには、カメラの配置位置、姿勢、画角、焦点距離、レンズ歪み等の情報が含まれる。
【００２１】
監視対象領域は、カメラによって撮影され、撮影の結果得られた画像内で画像認識処理の対象となる実空間内の領域である。情報記憶部２は、監視対象領域の範囲を記憶する。
【００２２】
監視対象物に関する情報には、監視対象物の形状、大きさ等の情報が含まれる。
【００２３】
障害物に関する情報には、障害物の配置位置、形状、大きさ等の情報が含まれる。
【００２４】
解像度評価関数は、画像内の監視対象物の解像度を、画像認識処理の適性を示す解像度評価値に変換する関数である。図２は、解像度評価関数の例を示すグラフである。画像認識処理に適している解像度であるほど、解像度評価値は１に近づき、画像認識処理に適していない解像度であるほど、解像度評価値は０に近づく。一般的に、解像度が高いほど、監視対象物が鮮明となり、画像認識処理に適する。解像度評価関数は、扱う画像認識処理に応じて設定しておく。ここで述べる解像度は、例えば、画像内の監視対象物の画素面積であってもよく、あるいは、画像内の監視対象物を囲む矩形の画素面積であってもよい。または、解像度は、画像内の監視対象物を囲む矩形の縦方向の画素サイズ、あるいは、その矩形の横方向の画素サイズであってもよい。解像度ｒを変数とする解像度評価関数をＦＲ（ｒ）と記す。
【００２５】
注視点角度評価関数は、監視対象物への注視点角度を、画像認識処理の適性を示す注視点角度評価値に変換する関数である。図３は、監視対象物への注視点角度を示す説明図である。図３では、監視対象物が人物の頭部である場合を例示している。監視対象物１３への注視点角度とは、カメラ位置と監視対象物１３内の注視点位置とを結ぶ直線と、地面とがなす角度である。ここで、監視対象物１３内の注視点位置とは、監視対象物１３の注目すべき位置を表す監視対象物１３内の任意の点である。例えば、監視対象物１３の重心や、重心軸の中心を注視点位置としてもよい。なお、図３では、カメラの光軸上に注視点が存在する場合を例示しているが、カメラの光軸は注視点とずれていてもよい。カメラ位置と監視対象物１３内の注視点位置が定まれば、カメラの光軸が注視点からずれていても、注視点角度が定まる。
【００２６】
図４は、注視点角度評価関数の例を示すグラフである。例えば、画像認識処理が、監視対象物の位置を推定する処理である場合、監視対象物同士の重なりや監視対象物と障害物との重なりが少ない方が好ましい。この場合、図４（ａ）に示すように、注視点角度が９０°に近いほど（すなわち、撮影位置が真上に近いほど）、注視点角度評価値が１に近づき、注視点角度が０°に近いほど注視点角度評価値が０に近づくような注視点角度評価関数を定めておけばよい。また、例えば、画像認識処理が物体検出処理や物体識別処理である場合、注視点角度が特定角度に近いことが好ましい。この場合、図４（ｂ）に示すように、注視点角度が特定角度に近づくほど注視点角度評価値が高くなる注視点角度評価関数を定めておけばよい。注視点角度ａを変数とする注視点角度評価関数をＦＡ（ａ）と記す。
【００２７】
本実施形態では、解像度評価値および注視点角度評価値がいずれも０〜１の範囲である場合を例にする。
【００２８】
画像生成部３は、障害物に関する情報が示す障害物を監視対象領域に配置した状態を、カメラパラメータに合致するカメラが撮影した場合の画像を生成する。画像生成部３は、例えばＣＧ（Computer Graphics）によってこの画像を生成する。この画像は、実際にカメラが撮影して得た画像ではなく、カメラパラメータに合致するカメラが、障害物の存在する監視対象領域上の空間を撮影した場合に得られる画像を模擬した画像である。ただし、実空間の監視対象領域に障害物が存在しない場合には、情報記憶部２に障害物に関する情報を記憶させておく必要はない。その場合、画像生成部３は、障害物が存在しない監視対象領域上の空間をカメラが撮影した場合の画像を生成する。さらに、画像生成部３は、生成した画像に、監視対象物を表す対象物表示子を重畳する。対象物表示子を重畳する位置は例えば予め定められた初期位置でよい。後述するように、対象物表示子は、ユーザの操作によって画像内で移動する。対象物表示子を重畳した画像をユーザ操作用画像と記す。本例では、ユーザ操作用画像に表示される対象物表示子が１つである場合を例にして説明する。
【００２９】
表示制御部１０は、ユーザ操作用画像を表示部１１に表示させる。図５は、ユーザ操作用画像の例を示す説明図である。図５では、対象物表示子１７を複数図示している。このことは、１つの対象物表示子１７がユーザの操作により画像内で移動することを表している。また、本実施形態では、人物の頭部を監視対象物とする場合を例にして説明するが、図５に示す例では、頭部だけでなく人物全体を表す対象物表示子１７が表示される場合を例示している。また、図５では、障害物２２とともに対象物表示子１７が表示される。また、図５では、画像内に写った監視対象領域２１に該当する部分も図示している。
【００３０】
位置指定受付部４は、ユーザ操作用画像（図５参照）上でユーザが対象物表示子１７の表示位置を指定する操作を受け付ける。例えば、位置指定受付部４は、ユーザがポインティングデバイスによって対象物表示子１７に対してドラッグ操作を行った場合、ドラッグ操作によって移動した先を、対象物表示子１７の表示位置として受け付ける。本実施形態では、ユーザがドラッグ操作で対象物表示子１７を移動させる場合を例にして説明するが、他の操作で、ユーザが対象物表示子１７の表示位置を指定してもよい。
【００３１】
位置指定受付部４が対象物表示子１７の表示位置をユーザから指定されると、画像生成部３は、対象物表示子１７の重畳位置を指定された位置に変更し、ユーザ操作用画像を更新する。
【００３２】
このとき、画像生成部３は、ユーザに指定された位置に応じて、対象物表示子１７の大きさや向き等を変えることが好ましい。この場合、例えば、画像生成部３は、ユーザに指定された画像内の位置に対応する実空間の監視対象領域上の位置を特定する。また、情報記憶部２は、対象物表示子１７を３次元形状で表した形状、大きさに関する情報を予め記憶しておく。そして、画像生成部３は、その形状、大きさによって表される物体を、特定した監視対象領域上の位置に配置した状態をカメラで撮影した場合の画像を生成すればよい。この結果、ユーザに指定された位置に応じて、ユーザ操作用画像内で対象物表示子１７の大きさや向きを変えることができる。例えば、図５に示す画像内の位置Ａに対象物表示子１７を表示する場合と、位置Ｄに対象物表示子１７を表示する場合とでは、対象物表示子１７の位置や向きが異なっている。
【００３３】
また、位置指定受付部４が対象物表示子１７の表示位置をユーザから指定されると、画像生成部３は、前述のように、ユーザに指定された画像内の位置に対応する実空間の監視対象領域上の位置を特定する。そして、画像生成部３は、その位置に、情報記憶部２に記憶された形状および大きさに応じた監視対象物を配置した状態を、カメラパラメータに合致するカメラが撮影した場合の画像をＣＧによって生成する。この画像は、画像認識処理にどの程度適しているか評価される画像であり、評価用画像と記す。評価用画像に基づいて、その評価用画像が画像認識処理にどの程度適しているかをユーザが判断するための情報（ユーザ判断用情報）が生成される。
【００３４】
なお、評価用画像も、実際にカメラが撮影して得た画像ではなく、カメラパラメータに合致するカメラが、監視対象物が存在する監視対象領域上の空間を撮影した場合に得られる画像を模擬した画像である。
【００３５】
表示制御部１０は、ユーザ操作用画像の他に、ユーザ判断用情報も表示部１１に表示させる。ユーザ判断用情報には、少なくとも、評価用画像から監視対象物に該当する部分を抽出した画像が含まれる。この画像以外のユーザ判断用情報の具体例、および、ユーザ判断用情報の表示例については後述する。
【００３６】
非隠れ率算出部５は、非隠れ率を算出する。非隠れ率とは、評価用画像内で、監視対象物全体に対する、評価用画像内に収まっていてかつ障害物によって隠されていない監視対象物の部分の割合である。非隠れ率は、０〜１の範囲の値である。
【００３７】
図６は、評価用画像の例を示す説明図である。図６では、説明をわかりやすくするために、頭部だけでなく人物全体が監視対象物である場合を例にして説明する。
【００３８】
図６（ａ）に示す評価用画像には、監視対象物１３全体が収まっている。従って、図６（ａ）に示す例では、非隠れ率は“１”である。
【００３９】
図６（ｂ）に例示する評価用画像では、監視対象物１３の一部のみが評価用画像内に収まっている。また、図６（ｃ）に例示する画像では、監視対象物１３の一部が障害物２２によって隠されている。従って、図６（ｂ），（ｃ）に示す評価用画像では、非隠れ率は１未満の値となる。
【００４０】
非隠れ率算出部５は、例えば、以下のように非隠れ率を算出する。非隠れ率算出部５は、監視対象物１３が収まる十分な大きさの画像であって、障害物が存在しない状態の画像を生成する。この画像は、カメラによって得られる画像の大きさが十分に大きいと仮定した場合の画像である。監視対象物１３全体はこの画像内に収まり、また、この画像内で監視対象物１３が障害物に隠されることはない。非隠れ率算出部５は、この画像における監視対象物１３の画素数（Ａとする。）を求める。そして、非隠れ率算出部５は、評価用画像において、評価用画像内に収まっていてかつ障害物に隠されていない監視対象物１３の部分の画素数（Ｂとする。）を求める。そして、非隠れ率算出部５は、画素数Ａに対する画素数Ｂの割合を算出し、その値を非隠れ率とする。非隠れ率をαで表す。
【００４１】
非隠れ率αは、ユーザ判断用情報に該当する。
【００４２】
前述のように、ユーザに指定された画像内の位置に対応する実空間の監視対象領域上の位置が、画像生成部３によって特定される。以下、この位置を符号Ｐで表す。
【００４３】
注視点角度算出部６は、位置Ｐに監視対象物を配置した状態を定め、その状態における監視対象物の注視点とカメラ位置とを通過する直線を、カメラパラメータを用いて算出する。そして、注視点角度算出部６は、その直線と地面とのなす角度を注視点角度として算出する。
【００４４】
第１の適合度算出部７は、その注視点角度と注視点角度評価関数ＦＡ（ａ）とを用いて、位置Ｐの注視点角度評価値を算出する。位置Ｐに関して算出された注視点角度をａＰと記す。また、その注視点角度ａＰから得られる注視点角度評価値をＳＡＰと記す。
【００４５】
第１の適合度算出部７は、位置Ｐの注視点角度ａＰを注視点角度評価関数ＦＡ（ａ）で評価し、注視点角度評価値ＳＡＰを算出する。すなわち、第１の適合度算出部７は、以下の式（１）の計算によって、注視点角度評価値ＳＡＰを算出する。
【００４６】
ＳＡＰ＝ＦＡ（ａＰ）          式（１）
【００４７】
ここで、位置Ｐに関して算出された非隠れ率をαＰと記す。そして、第１の適合度算出部７は、位置Ｐの注視点角度評価値ＳＡＰに非隠れ率αＰを乗算することによって、第１の適合度を算出する。すなわち、以下の式（２）の計算により、第１の適合度を算出する。
【００４８】
第１の適合度＝αＰ×ＳＡＰ          式（２）
【００４９】
適合度は、位置Ｐに監視対象物を配置した状態の撮影画像が画像認識処理に適している度合いを表す指標値である。第１の適合度は、注視点角度の観点から算出した適合度である。
【００５０】
第１の適合度を算出するということは、画像認識処理の適性を評価する上で重要となるカメラの撮影角度によるアピアランスの違いや、監視対象物同士の重なり具合等を、監視対象物への注視点角度で評価していることになる。
【００５１】
注視点角度および第１の適合度は、それぞれユーザ判断用情報に該当する。
【００５２】
解像度取得部８は、画像生成部３が生成した評価用画像を用いて、評価用画像内に写っている監視対象物の解像度を取得する。前述のように、解像度として、画像内の監視対象物の画素面積を採用しても、画像内の監視対象物を囲む矩形の画素面積を採用しても、その矩形の縦方向または横方向の画素サイズを採用してもよい。
【００５３】
第２の適合度算出部９は、解像度取得部８が取得した解像度と解像度評価関数ＦＲ（ｒ）とを用いて、位置Ｐの解像度評価値を算出する。位置Ｐに関して得られた解像度をｒＰと記す。また、その解像度ｒＰから得られる解像度評価値をＳＲＰと記す。
【００５４】
第２の適合度算出部９は、位置Ｐの解像度ｒＰを解像度評価関数ＦＲ（ｒ）で評価し、解像度評価値ＳＲＰを算出する。すなわち、第２の適合度算出部９は、以下の式（３）の計算によって、解像度評価値ＳＲＰを算出する。
【００５５】
ＳＲＰ＝ＦＲ（ｒＰ）          式（３）
【００５６】
さらに、第２の適合度算出部９は、位置Ｐの解像度評価値ＳＲＰに非隠れ率αＰを乗算することによって、第２の適合度を算出する。すなわち、以下の式（４）の計算により、第２の適合度を算出する。
【００５７】
第２の適合度＝αＰ×ＳＲＰ        式（４）
【００５８】
第２の適合度は、解像度の観点から算出した適合度である。
【００５９】
第２の適合度を算出するということは、画像認識処理の適性を評価する上で重要となる画像内の監視対象物の鮮明さを監視対象物の解像度で評価していることになる。
【００６０】
解像度および第２の適合度は、それぞれユーザ判断用情報に該当する。
【００６１】
表示制御部１０は、評価用画像から監視対象物に該当する部分を抽出した画像を抽出し、ユーザ判断用情報として表示部１１に表示させる。この画像は、カメラの撮影画像内における監視対象物の見え方を直接的に表した画像であると言える。また、表示制御部１０は、非隠れ率、注視点角度、第１の適合度、解像度、第２の適合度および非隠れ率もユーザ判断用情報として表示部１１に表示させる。
【００６２】
画像生成部３、位置指定受付部４、非隠れ率算出部５、注視点角度算出部６、第１の適合度算出部７、解像度取得部８、第２の適合度算出部９および表示制御部１０は、例えば、見え方提示プログラムに従って動作するコンピュータのＣＰＵによって実現される。この場合、ＣＰＵが、見え方提示プログラムを読み込み、そのプログラムに従って、画像生成部３、位置指定受付部４、非隠れ率算出部５、注視点角度算出部６、第１の適合度算出部７、解像度取得部８、第２の適合度算出部９および表示制御部１０として動作すればよい。また、見え方提示プログラムは、コンピュータが読み取り可能な記録媒体に記録されていてもよい。また、画像生成部３、位置指定受付部４、非隠れ率算出部５、注視点角度算出部６、第１の適合度算出部７、解像度取得部８、第２の適合度算出部９および表示制御部１０がそれぞれ別々のハードウェアで実現されていてもよい。
【００６３】
次に、本発明の処理経過について説明する。図７は、本発明の処理経過の例を示すフローチャートである。なお、表示制御部１０は、ユーザ操作用画像を表示しているものとする。
【００６４】
位置指定受付部４は、ユーザ操作用画像（例えば、図５参照）内での対象物表示子１７の位置をユーザによって指定される（ステップＳ１）。例えば、ユーザが対象物表示子１７に対してドラッグ操作を行う。そして、位置指定受付部４は、ドラッグ操作によって移動した先を、対象物表示子１７の表示位置として受け付ける。なお、ステップＳ１に応じて、画像生成部３は、指定された位置に対象物表示子１７の位置を変更したユーザ操作用画像を生成し、表示制御部１０は、そのユーザ操作用画像を表示部１１に表示させる。
【００６５】
また、ステップＳ１の後、画像生成部３は、ステップＳ１で指定されたユーザ操作用画像内の位置に対応する実空間の監視領域上の位置Ｐを特定する。そして、画像生成部３は、その位置Ｐに監視対象物を配置した状態を、カメラパラメータに合致するカメラが撮影した場合の画像（すなわち、評価用画像）を生成する（ステップＳ２）。
【００６６】
次に、非隠れ率算出部５は、位置Ｐに関する非隠れ率αＰを、ステップＳ２で生成された評価用画像に基づいて算出する（ステップＳ３）。
【００６７】
また、注視点角度算出部６は、位置Ｐの注視点角度ａＰを算出する（ステップＳ４）。具体的には、注視点角度算出部６は、位置Ｐに監視対象物を配置した状態を定め、その状態における監視対象物の注視点とカメラ位置とを通過する直線を算出し、その直線と地面とのなす角を算出する。この角度が注視点角度ａＰである。
【００６８】
次に、第１の適合度算出部７は、位置Ｐに関して算出された注視点角度ａＰと注視点角度評価関数とを用いて、式（１）の計算により、注視点角度評価値ＳＡＰを算出する。さらに、第１の適合度算出部７は、その注視点角度評価値ＳＡＰに非隠れ率αＰを乗じることによって、位置Ｐに関する第１の適合度を算出する（ステップＳ５）。
【００６９】
また、解像度取得部８は、画像生成部３が生成した評価用画像を用いて、評価用画像内に写っている監視対象物の解像度を取得する（ステップＳ６）。この解像度は、位置Ｐに関する解像度ｒＰである。
【００７０】
次に、第２の適合度算出部９は、位置Ｐに関して得られた解像度ｒＰと解像度評価関数とを用いて、式（３）の計算により、解像度評価値ＳＲＰを算出する。さらに、第２の適合度算出部９は、その解像度評価値ＳＲＰに非隠れ率αＰを乗じることによって、位置Ｐに関する第２の適合度を算出する（ステップＳ７）。
【００７１】
そして、表示制御部１０は、ユーザ判断用情報を表示部１１に表示させる（ステップＳ８）。表示制御部１０は、評価用画像から監視対象物に該当する部分を抽出した画像を抽出し、ユーザ判断用情報として表示部１１に表示させる。また、表示制御部１０は、非隠れ率、注視点角度、第１の適合度、解像度および第２の適合度もユーザ判断用情報として表示部１１に表示させる。本実施形態では、表示制御部１０は、注視点角度の大きさを図として表示部１１に表示させるとともに、注視点角度の値も表示部１１に表示させる場合を例にする。見え方提示システム１は、注視点角度に関して、図のみ、あるいは、値のみ表示してもよい。ただし、注視点角度の大きさを表す図を表示することで、ユーザに注視点角度の大きさを直感的に把握させることができる。従って、注視点角度の大きさを表す図を表示することが好ましい。
【００７２】
図８ないし図１１は、ステップＳ８で表示されるユーザ判断用情報の表示例を示す説明図である。なお、図８から図１１に示す例では、注視点角度が特定角度（顔の正面が撮影でき、適用する画像認識エンジンが最も有効に機能する角度）に近いほど好ましい場合を例にして説明する。
【００７３】
図８ないし図１１に示す画像表示欄５１は、評価用画像から抽出された監視対象物に該当する部分の画像を表示する表示欄である。画像表示欄５１の大きさは一定であり、表示制御部１０は、監視対象物に該当する部分の画像を画像表示欄５１の大きさに合わせて表示させる。その場合、表示制御部１０は、画像のリサイズ処理において、バイリニア（Bilinear）やバイキュービック（Bicubic ）等の処理は行わずに、元の画像の解像度が表現されるような処理（例えば、最近傍補間（Nearest neighbor）等）を実行し、表示する。画像表示欄５１において、カメラの撮影画像内における監視対象物の見え方が直接表される。
【００７４】
非隠れ率表示欄５７は、ステップＳ３で算出された非隠れ率を表示する表示欄である。
【００７５】
注視点角度表示欄５５は、ステップＳ４で算出された注視点角度の値を表示する表示欄である。また、注視点角度表示欄５４は、その注視点角度の大きさ表す図を表示する表示欄である。
【００７６】
第１の適合度表示欄５６は、ステップＳ５で算出された第１の適合度を表示する表示欄である。
【００７７】
解像度表示欄５２は、ステップＳ６で得られた解像度を表示する表示欄である。
【００７８】
第２の適合度表示欄５３は、ステップＳ７で算出された第２の適合度を表示する表示欄である。
【００７９】
図８ないし図１１では、非隠れ率、第１の適合度および第２の適合度に関して、値だけを表示するのではなく、その値に対応する長さのバーも併せて表示する場合を例示している（図８ないし図１１に示す非隠れ率表示欄５７、第１の適合度表示欄５６および第２の適合度表示欄５３を参照）。
【００８０】
表示制御部１０は、ユーザ判断用情報を上述の表示欄５１〜５７内に含めて、表示部１１に表示させる。
【００８１】
図８は、図５に示す位置Ａが指定された場合のユーザ判断用情報の例を示す。位置Ａに配置された監視対象物は、画像内で小さく写るので、一定の大きさの画像表示欄５１に合わせて表示すると、図８に例示するように荒い画像となる。また、図８に例示する画像表示欄５１から、注視点角度の程度や、障害物に監視対象物が隠されていないことが分かる。従って、ユーザは、図８に例示する画像表示欄５１から、位置Ａ（図５参照）に監視対象物が存在する場合の撮影画像は、監視対象物が障害物に隠されていない点では好ましいが、解像度の観点からは画像認識処理に好ましくないと判断できる。画像表示欄５１に表示された画像は、非隠れ率、注視点角度および解像度の状態を総合的に表した画像である。従って、ユーザは、この画像を参照することによって、非隠れ率、注視点角度および解像度の観点から、指定した位置に監視対象物が存在した場合の撮影画像が画像認識処理にどの程度適しているかを判断することができる。
【００８２】
また、注視点角度表示欄５４には、注視点角度の大きさを表す図が表示される。従って、ユーザは、注視点角度の大きさを容易に理解でき、指定した位置に監視対象物が存在した場合の撮影画像が画像認識処理にどの程度適しているかを注視点角度の観点から判断することができる。また、注視点角度表示欄５５には、注視点角度の値が表示され、第１の適合度表示欄５６には、第１の適合度が表示される。これらの値によっても、ユーザは、撮影画像が画像認識処理にどの程度適しているかを注視点角度の観点から判断できる。
【００８３】
また、非隠れ率表示欄５７には非隠れ率の値が表示される。ユーザは、この値を参照して、撮影画像が画像認識処理にどの程度適しているかを非隠れ率の観点（すなわち、監視対象物全体のうちどの程度の部分が画像内に写るかという観点）から判断することができる。
【００８４】
また、解像度表示欄５２には解像度の値が表示され、第２の適合度表示欄５３には、第２の適合度が表示される。ユーザは、これらの値を参照することによって、撮影画像が画像認識処理にどの程度適しているかを解像度の観点から判断することができる。
【００８５】
図９は、図５に示す位置Ｂが指定された場合のユーザ判断用情報の例を示す。図９に、例示する画像表示欄５１から、注視点角度の程度、解像度は良好なこと、障害物に監視対象物が隠されていないことが分かる。従って、ユーザは、図９に例示する画像表示欄５１から、位置Ｂ（図５参照）に監視対象物が存在する場合の撮影画像は、注視点角度、解像度および非隠れ率のいずれの観点からも、画像認識処理に好ましいと判断することができる。
【００８６】
図１０は、図５に示す位置Ｃが指定された場合のユーザ判断用情報の例を示す。図１０に例示する画像表示欄５１から、注視点角度の程度、解像度は良好なこと、障害物に監視対象物が隠されていることが分かる。従って、ユーザは、図１０に例示する画像表示欄５１から、位置Ｃ（図５参照）に監視対象物が存在する場合の撮影画像は、注視点角度および解像度の観点からは画像認識処理に好ましいと言えるが、非隠れ率の観点からは十分に好ましいとは言えないと判断することができる。
【００８７】
図１１は、図５に示す位置Ｄが指定された場合のユーザ判断用情報の例を示す。図１１に例示する画像表示欄５１から、頭部が上側から撮影され注視点角度が大きいこと、解像度が良好なこと、および障害物に監視対象物が隠されていないことが分かる。従って、ユーザは、図１１に例示する画像表示欄５１から、位置Ｄ（図５参照）に監視対象物が存在する場合の撮影画像は、非隠れ率および解像度の観点からは画像認識処理に好ましいと言えるが、注視点角度の観点からは好ましいとは言えないと判断することができる。
【００８８】
また、図８から図１１に示す各表示例において、ユーザは、他の表示欄５２〜５７の表示を参照することによって、非隠れ率、注視点角度および解像度それぞれの観点における好ましさを定量的に判断できる。
【００８９】
上記のように、本実施形態の見え方表示システムは、ユーザ操作用画像内でユーザが指定した位置に対応する実空間の監視対象領域上の位置に監視対象物を配置した場合の画像（評価用画像）を生成し、評価用画像から抽出された監視対象物に該当する部分の画像を表示する。従って、指定した位置に監視対象物が存在する場合の撮影画像において、監視対象物がどのように写るかをユーザに提示することができる。換言すれば、撮影画像内における監視対象物の見え方をユーザに提示することができる。そして、ユーザは、その見え方を確認することによって、カメラによって得られる画像が画像認識処理にどの程度適しているかを、非隠れ率、注視点角度および解像度の観点から総合的に確認することができる。また、ユーザは、そのような確認を、実際にカメラを配置して運用する前に行うことができる。
【００９０】
また、本実施形態の見え方表示システムは、注視点角度の大きさを図として表示する。従って、ユーザは、撮影画像が画像認識処理にどの程度適しているかを、注視点角度の観点から判断できる。また、注視点角度および第１の適合度の値も表示するので、これらの値によっても、ユーザは、注視点角度の観点から撮影画像の適性を判断できる。
【００９１】
また、本実施形態の見え方表示システムは、解像度および第２の適合度の値も表示する。従って、ユーザは、撮影画像が画像認識処理にどの程度適しているかを、解像度の観点から判断できる。
【００９２】
また、本実施形態の見え方表示システムは、非隠れ率の値も表示する。従って、ユーザは、撮影画像が画像認識処理にどの程度適しているかを、非隠れ率の観点から判断できる。
【００９３】
なお、図７に示した処理経過は例示であり、本発明における処理の順番は、図７に示す例に限定されない。
【００９４】
また、本発明の見え方提示システム１は、ユーザ判断用情報として、少なくとも、評価用画像から抽出した監視対象物に該当する部分を表示する。
【００９５】
見え方提示システム１は、第１の適合度の表示を省略してもよい。その場合、見え方提示システム１は、第１の適合度算出部７を備えていなくてもよい。さらに、見え方提示システム１は、注視点角度の表示を省略してもよい。その場合には、見え方提示システム１は、注視点角度算出部６も備えていなくてよい。
【００９６】
また、見え方提示システム１は、第２の適合度の表示を省略してもよい。その場合、見え方提示システム１は、第２の適合度算出部９を備えていなくてもよい。さらに、見え方提示システム１は、解像度の表示も省略してもよい。その場合には、見え方提示システム１は、解像度取得部８も備えていなくてよい。
【００９７】
また、見え方提示システム１は、非隠れ率の表示も省略してよい。非隠れ率、第１の適合度および第２の適合度の表示を省略する場合には、見え方提示システム１は、非隠れ率算出部５を備えていなくてもよい。
【００９８】
また、図５では、対象物表示子１７を、簡略化した形状で示しているが、監視対象物を具体的に表した対象物表示子１７を表示させてもよい。この場合、画像生成部３は、情報記憶物２に記憶された監視対象物の形状および大きさに基づいて対象物表示子１７の画像を生成すればよい。
【００９９】
次に、本発明の主要部について説明する。図１２は、本発明の主要部の例を示すブロック図である。本発明の見え方提示システムは、主要部として、表示制御部１０と、位置指定受付部４と、画像生成部３とを備える。
【０１００】
表示制御部１０は、位置および姿勢が定められたカメラが所定の監視対象領域を撮影した場合の画像に、監視対象物を表す対象物表示子を重畳した画像（例えば、ユーザ操作用画像）を表示装置に表示させる。
【０１０１】
位置指定受付部４は、その画像内で、対象物表示子の位置の指定を受け付ける。
【０１０２】
画像生成部３は、その画像内で指定された位置に対応する監視対象領域上の位置に監視対象物を配置した状態をカメラが撮影した場合に得られる画像（例えば、評価用画像）を生成する。
【０１０３】
そして、表示制御部１０は、画像生成部３に生成された画像から、監視対象物に該当する部分を抽出して表示装置に表示させる。
【０１０４】
そのような構成により、カメラによって得られる画像が画像認識処理にどの程度適しているかをユーザが事前に把握できるように、ユーザが指定した画像内の位置における監視対象物の見え方を提示することができる。
【０１０５】
上記の実施形態の一部または全部は、以下の付記のようにも記載され得るが、以下に限定されるわけではない。
【０１０６】
（付記１）位置および姿勢が定められたカメラが所定の監視対象領域を撮影した場合の画像に、監視対象物を表す対象物表示子を重畳した画像を表示装置に表示させる表示制御手段と、前記画像内で、前記対象物表示子の位置の指定を受け付ける位置指定受付手段と、前記画像内で指定された位置に対応する監視対象領域上の位置に前記監視対象物を配置した状態を前記カメラが撮影した場合に得られる画像を生成する画像生成手段とを備え、前記表示制御手段は、前記画像生成手段に生成された画像から、前記監視対象物に該当する部分を抽出して表示装置に表示させることを特徴とする見え方提示システム。
【０１０７】
（付記２）画像内で指定された位置に対応する監視対象領域上の位置に配置された監視対象物内の注視点とカメラの位置とを通過する直線と地面とのなす角度である注視点角度を算出する注視点算出手段を備え、表示制御手段は、前記注視点角度を表す図を表示装置に表示させる付記１に記載の見え方提示システム。
【０１０８】
（付記３）画像生成手段に生成された画像内で、監視対象物全体に対する、画像内に収まっていてかつ障害物によって隠されていない監視対象物の部分の割合である非隠れ率を算出する非隠れ率算出手段と、画像内で指定された位置に対応する監視対象領域上の位置に配置された監視対象物内の注視点とカメラの位置とを通過する直線と地面とのなす角度である注視点角度を算出する注視点算出手段と、前記注視点角度を、注視点角度と画像認識処理の適性を示す注視点角度評価値との関係を定めた注視点角度評価関数で評価することによって、監視対象領域上の監視対象物の配置位置での注視点角度評価値を算出し、当該注視点角度評価値および前記非隠れ率に基づいて、前記配置位置に配置された監視対象物の画像が画像認識処理に適している度合いを示す第１の適合度を算出する第１の適合度算出手段とを備え、表示制御手段は、前記注視点角度および前記第１の適合度を表示装置に表示させる付記１または付記２に記載の見え方提示システム。
【０１０９】
（付記４）画像生成手段に生成された画像内で、監視対象物全体に対する、画像内に収まっていてかつ障害物によって隠されていない監視対象物の部分の割合である非隠れ率を算出する非隠れ率算出手段と、画像生成手段に生成された画像内における監視対象物の解像度を取得する解像度取得手段と、前記解像度を、解像度と画像認識処理の適性を示す解像度評価値との関係を定めた解像度評価関数で評価することによって、監視対象領域上の監視対象物の配置位置での解像度評価値を算出し、当該解像度評価値および前記非隠れ率に基づいて、前記配置位置に配置された監視対象物の画像が画像認識処理に適している度合いを示す第２の適合度を算出する第２の適合度算出手段とを備え、表示制御手段は、前記解像度および前記第２の適合度を表示装置に表示させる付記１から付記３のうちのいずれかに記載の見え方提示システム。
【０１１０】
（付記５）表示制御手段は、非隠れ率を表示装置に表示させる付記３または付記４に記載の見え方提示システム。
【０１１１】
（付記６）位置および姿勢が定められたカメラが所定の監視対象領域を撮影した場合の画像に、監視対象物を表す対象物表示子を重畳した画像を表示装置に表示させ、前記画像内で、前記対象物表示子の位置の指定を受け付け、前記画像内で指定された位置に対応する監視対象領域上の位置に前記監視対象物を配置した状態を前記カメラが撮影した場合に得られる画像を生成し、生成した前記画像から、前記監視対象物に該当する部分を抽出して表示装置に表示させることを特徴とする見え方提示方法。
【０１１２】
（付記７）画像内で指定された位置に対応する監視対象領域上の位置に配置された監視対象物内の注視点とカメラの位置とを通過する直線と地面とのなす角度である注視点角度を算出し、前記注視点角度を表す図を表示装置に表示させる付記６に記載の見え方提示方法。
【０１１３】
（付記８）監視対象物を配置した状態をカメラが撮影した場合に得られる画像として生成した画像内で、監視対象物全体に対する、画像内に収まっていてかつ障害物によって隠されていない監視対象物の部分の割合である非隠れ率を算出し、画像内で指定された位置に対応する監視対象領域上の位置に配置された監視対象物内の注視点とカメラの位置とを通過する直線と地面とのなす角度である注視点角度を算出し、前記注視点角度を、注視点角度と画像認識処理の適性を示す注視点角度評価値との関係を定めた注視点角度評価関数で評価することによって、監視対象領域上の監視対象物の配置位置での注視点角度評価値を算出し、当該注視点角度評価値および前記非隠れ率に基づいて、前記配置位置に配置された監視対象物の画像が画像認識処理に適している度合いを示す第１の適合度を算出し、前記注視点角度および前記第１の適合度を表示装置に表示させる付記６または付記７に記載の見え方提示方法。
【０１１４】
（付記９）監視対象物を配置した状態をカメラが撮影した場合に得られる画像として生成した画像内で、監視対象物全体に対する、画像内に収まっていてかつ障害物によって隠されていない監視対象物の部分の割合である非隠れ率を算出し、前記画像内における監視対象物の解像度を取得し、前記解像度を、解像度と画像認識処理の適性を示す解像度評価値との関係を定めた解像度評価関数で評価することによって、監視対象領域上の監視対象物の配置位置での解像度評価値を算出し、当該解像度評価値および前記非隠れ率に基づいて、前記配置位置に配置された監視対象物の画像が画像認識処理に適している度合いを示す第２の適合度を算出し、前記解像度および前記第２の適合度を表示装置に表示させる付記６から付記８のうちのいずれかに記載の見え方提示方法。
【０１１５】
（付記１０）非隠れ率を表示装置に表示させる付記８または付記９に記載の見え方提示方法。
【０１１６】
（付記１１）コンピュータに、位置および姿勢が定められたカメラが所定の監視対象領域を撮影した場合の画像に、監視対象物を表す対象物表示子を重畳した画像を表示装置に表示させる表示制御処理、前記画像内で、前記対象物表示子の位置の指定を受け付ける位置指定受付処理、前記画像内で指定された位置に対応する監視対象領域上の位置に前記監視対象物を配置した状態を前記カメラが撮影した場合に得られる画像を生成する画像生成処理、および、前記画像生成処理で生成された画像から、前記監視対象物に該当する部分を抽出して表示装置に表示させるユーザ判断用情報表示処理を実行させるための見え方提示プログラム。
【０１１７】
（付記１２）コンピュータに、画像内で指定された位置に対応する監視対象領域上の位置に配置された監視対象物内の注視点とカメラの位置とを通過する直線と地面とのなす角度である注視点角度を算出する注視点算出処理を実行させ、ユーザ判断用情報表示処理で、前記注視点角度を表す図を表示装置に表示させる付記１１に記載の見え方提示プログラム。
【０１１８】
（付記１３）コンピュータに、画像生成処理で生成した画像内で、監視対象物全体に対する、画像内に収まっていてかつ障害物によって隠されていない監視対象物の部分の割合である非隠れ率を算出する非隠れ率算出処理、画像内で指定された位置に対応する監視対象領域上の位置に配置された監視対象物内の注視点とカメラの位置とを通過する直線と地面とのなす角度である注視点角度を算出する注視点算出処理、および、前記注視点角度を、注視点角度と画像認識処理の適性を示す注視点角度評価値との関係を定めた注視点角度評価関数で評価することによって、監視対象領域上の監視対象物の配置位置での注視点角度評価値を算出し、当該注視点角度評価値および前記非隠れ率に基づいて、前記配置位置に配置された監視対象物の画像が画像認識処理に適している度合いを示す第１の適合度を算出する第１の適合度算出処理を実行させ、ユーザ判断用情報表示処理で、前記注視点角度および前記第１の適合度を表示装置に表示させる付記１１または付記１２に記載の見え方提示プログラム。
【０１１９】
（付記１４）コンピュータに、画像生成処理で生成した画像内で、監視対象物全体に対する、画像内に収まっていてかつ障害物によって隠されていない監視対象物の部分の割合である非隠れ率を算出する非隠れ率算出処理、画像生成処理で生成した画像内における監視対象物の解像度を取得する解像度取得処理、および、前記解像度を、解像度と画像認識処理の適性を示す解像度評価値との関係を定めた解像度評価関数で評価することによって、監視対象領域上の監視対象物の配置位置での解像度評価値を算出し、当該解像度評価値および前記非隠れ率に基づいて、前記配置位置に配置された監視対象物の画像が画像認識処理に適している度合いを示す第２の適合度を算出する第２の適合度算出処理を実行させ、ユーザ判断用情報表示処理で、前記解像度および前記第２の適合度を表示装置に表示させる付記１１から付記１３のうちのいずれかに記載の見え方提示プログラム。
【０１２０】
（付記１５）コンピュータに、ユーザ判断用情報表示処理で、非隠れ率を表示装置に表示させる付記１３または付記１４に記載の見え方提示プログラム。
【０１２１】
この出願は、２０１２年１２月６日に出願された日本特許出願２０１２−２６７５５４を基礎とする優先権を主張し、その開示の全てをここに取り込む。
【０１２２】
以上、実施形態を参照して本願発明を説明したが、本願発明は上記の実施形態に限定されるものではない。本願発明の構成や詳細には、本願発明のスコープ内で当業者が理解し得る様々な変更をすることができる。
【産業上の利用の可能性】
【０１２３】
本発明は、カメラによって撮影される監視対象物が撮影画像内でどのように見えるかをユーザに提示する見え方提示システムに好適に適用される。
【符号の説明】
【０１２４】
１  見え方提示システム
２  情報記憶部
３  画像生成部
４  位置指定受付部
５  非隠れ率算出部
６  注視点角度算出部
７  第１の適合度算出部
８  解像度取得部
９  第２の適合度算出部
１０  表示制御部
１１  表示部
【図１】
2014087622.tif 000003
【図２】
2014087622.tif 000004
【図３】
2014087622.tif 000005
【図４】
2014087622.tif 000006
【図５】
2014087622.tif 000007
【図６】
2014087622.tif 000008
【図７】
2014087622.tif 000009
【図８】
2014087622.tif 000010
【図９】
2014087622.tif 000011
【図１０】
2014087622.tif 000012
【図１１】
2014087622.tif 000013
【図１２】
2014087622.tif 000014
【図１３】
2014087622.tif 000015
【国際調査報告】
2014087622.tif 000016
2014087622.tif 000017